【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
参照対象のファイルを保持する第１の装置とネットワークを介して接続されている第２の装置から前記参照対象のファイルを参照することが可能なファイルシステムであって、
ユーザの操作に基づいて、前記第１の装置に保持されている前記参照対象のファイルを前記第２の装置から参照するためのリンク方式として、前記参照対象のファイルに直接アクセスして該参照対象のファイルを参照する第１のリンク方式および前記第２の装置に保持されている前記参照対象のファイルの複製を参照する第２のリンク方式の内の一方を設定するリンク方式設定手段と、
前記第２の装置からの前記参照対象のファイルへの参照頻度に従って、前記設定されたリンク方式を他方のリンク方式に変更するリンク方式変更手段と、
を備え、
前記リンク方式変更手段により、前記設定されたリンク方式が前記第２のリンク方式に変更される場合、前記第２の装置には、前記参照対象のファイルの複製が保持されることを特徴とするファイルシステム。
【請求項２】
所定期間中に前記参照対象のファイルが前記第２の装置により参照された参照回数を管理する管理手段を備え、
前記リンク方式変更手段は、前記管理手段で管理される前記所定期間中の前記参照対象のファイルへの参照回数に従って、前記設定されたリンク方式を他方のリンク方式に変更することを特徴とする請求項１記載のファイルシステム。
【請求項３】
前記リンク方式変更手段は、前記設定されたリンク方式が前記第１のリンク方式である場合、前記参照対象のファイルの参照回数が予め設定されている閾値を超えているか否かを判定し、前記参照対象のファイルの参照回数が前記閾値を超えていると判定された場合、前記設定されたリンク方式を前記第２のリンク方式に変更することを特徴とする請求項２に記載のファイルシステム。
【請求項４】
前記リンク方式変更手段は、前記設定されたリンク方式が前記第２のリンク方式である場合、前記参照対象のファイルの参照回数が予め設定されている閾値以下であるか否かを判定し、前記参照対象のファイルの参照回数が前記閾値以下であると判定された場合、前記設定されたリンク方式を前記第１のリンク方式に変更することを特徴とする請求項２に記載のファイルシステム。
【請求項５】
前記リンク方式変更手段により、前記設定されたリンク方式が前記第１のリンク方式に変更された場合、前記第２の装置に保持されている前記参照対象のファイルの複製が消去されることを特徴とする請求項４に記載のファイルシステム。
【請求項６】
前記ユーザにより設定されたリンク方式が前記第２のリンク方式の場合、前記第２の装置に保持されている前記参照対象のファイルの複製を参照する際に、前記第１の装置に保持されている前記参照対象のファイルと前記第２の装置に保持されている前記参照対象のファイルの複製とが同一であるか否かを判定する判定手段を備え、
前記第１の装置に保持されている前記参照対象のファイルと前記第２の装置に記憶されている前記参照対象のファイルの複製とが同一でないと判定された場合、前記第２の装置は、前記第１の装置に保持されている前記参照対象のファイルにアクセスし、該参照対象のファイルを参照した後に、前記第１の装置から送信された前記参照対象のファイルの複製を記憶することを特徴する請求項１に記載のファイルシステム。
【請求項７】
データ処理装置であって、
他の装置が保持するファイルを参照するためのリンク方式として、当該ファイルに直接アクセスすることによって参照する第１のリンク方式および前記データ処理装置に保持されている当該ファイルの複製を参照する第２のリンク方式のうちのいずれか一方を設定する設定手段と、
前記ファイルへの参照頻度に従って、前記設定手段によって設定されたリンク方式を他方のリンク方式に変更する変更手段と、
を備えることを特徴とするデータ処理装置。
【請求項８】
参照対象のファイルを保持する第１の装置とネットワークを介して接続されている第２の装置から前記参照対象のファイルを参照することが可能なファイルシステムであって、
ユーザの操作に基づいて、前記第１の装置に保持されている前記参照対象のファイルを前記第２の装置から参照するためのリンク方式として、前記参照対象のファイルに直接アクセスして該参照対象のファイルを参照する第１のリンク方式および前記第２の装置に保持されている前記参照対象のファイルの複製を参照する第２のリンク方式の内の一方を設定するリンク方式設定工程と、
前記第２の装置からの前記参照対象のファイルへの参照頻度に従って、前記設定されたリンク方式を他方のリンク方式に変更するリンク方式変更工程と、
を備え、
前記リンク方式変更工程で前記設定されたリンク方式が前記第２のリンク方式に変更される場合、前記第２の装置には、前記参照対象のファイルの複製が保持されることを特徴とするファイル参照方法。
【請求項９】
参照対象のファイルを保持する第１の装置とネットワークを介して接続されている第２の装置から前記参照対象のファイルを参照することが可能なファイルシステム上で実行されるプログラムであって、
ユーザの操作に基づいて、前記第１の装置に保持されている前記参照対象のファイルを前記第２の装置から参照するためのリンク方式として、前記参照対象のファイルに直接アクセスして該参照対象のファイルを参照する第１のリンク方式および前記第２の装置に保持されている前記参照対象のファイルの複製を参照する第２のリンク方式の内の一方を設定するリンク方式設定ステップと、
前記第２の装置からの前記参照対象のファイルへの参照頻度に従って、前記設定されたリンク方式を他方のリンク方式に変更するリンク方式変更ステップと、
前記リンク方式変更ステップで前記設定されたリンク方式が前記第２のリンク方式に変更される場合、前記第２の装置には、前記参照対象のファイルの複製が保持されるように制御する制御ステップと、
をコンピュータにより実行させることを特徴とするプログラム。
【請求項１０】
請求項９に記載のプログラムをコンピュータにより読み取り可能に格納したことを特徴とする記憶媒体。
【手続補正２】
【補正対象書類名】明細書
【補正対象項目名】００１７
【補正方法】変更
【補正の内容】
【００１７】
本発明は、上記目的を達成するため、参照対象のファイルを保持する第１の装置とネットワークを介して接続されている第２の装置から前記参照対象のファイルを参照することが可能なファイルシステムであって、ユーザの操作に基づいて、前記第１の装置に保持されている前記参照対象のファイルを前記第２の装置から参照するためのリンク方式として、前記参照対象のファイルに直接アクセスして該参照対象のファイルを参照する第１のリンク方式および前記第２の装置に保持されている前記参照対象のファイルの複製を参照する第２のリンク方式の内の一方を設定するリンク方式設定手段と、前記第２の装置からの前記参照対象のファイルへの参照頻度に従って、前記設定されたリンク方式を他方のリンク方式に変更するリンク方式変更手段と、を備え、前記リンク方式変更手段により、前記設定されたリンク方式が前記第２のリンク方式に変更される場合、前記第２の装置には、前記参照対象のファイルの複製が保持されることを特徴とするファイルシステムを提供する。
【手続補正３】
【補正対象書類名】明細書
【補正対象項目名】００１８
【補正方法】変更
【補正の内容】
【００１８】
また、本発明は、上記目的を達成するため、データ処理装置、ファイル参照方法、プログラムおよび記憶媒体を提供する。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】